(57)【要約】【課題】視聴者が詳細な内容を知りたいデータ放送について、受信中に識別情報を保存しておけば、後からデータ放送のコンテンツデータを閲覧することを可能とするデータ放送コンテンツ配信システムを提供する。【解決手段】第３装置では、データ放送受信中に、視聴中のデータ放送コンテンツの識別情報をメモリに保存するようにしておき、第１装置では、データ放送コンテンツデータをデータベースに蓄積し、データ放送の識別情報を用いて、データベースの中から特定のデータ放送コンテンツデータを検索し、データ放送コンテンツを送信するように構成し、第２装置では、第３装置より送信されたデータ放送識別情報を第１装置へ送信し、対応するデータ放送コンテンツデータを第1装置から受信するように構成した。【選択図】図１
2005175883.tif 000002
【特許請求の範囲】
【請求項１】
放送局から送信されているデータ放送を受信するデータ放送受信手段と、前記データ放送受信手段において受信したデータ放送コンテンツデータを蓄積するデータベースと、前記データベースに蓄積されたデータ放送コンテンツデータを送信するデータ放送コンテンツ送信手段と、前記データ放送コンテンツデータを識別するためのデータ放送識別情報を受信するデータ放送識別情報受信手段と、前記データ放送識別情報を用いて、前記データベースの中から特定のデータ放送コンテンツデータを検索する検索手段とを有し、前記検索手段の検索したデータ放送コンテンツデータを前記データ放送コンテンツ送信手段にて送信する第１装置と、
前記データ放送識別情報を送信する送信手段と、前記データ放送コンテンツデータを受信する受信手段とを有する第２装置と、
放送局から送信されているデータ放送を受信する受信手段と、前記データ放送を表示する表示手段と、視聴者の操作によって視聴中のデータ放送のデータ放送識別情報をメモリに保存するデータ放送識別情報保存手段と、前記データ放送識別情報を送信するデータ放送識別情報送信手段とを有する第３装置と、
を備えたデータ放送コンテンツの配信システム。
【請求項２】
前記データ放送識別情報受信手段は、インターネットを介してデータ放送識別情報を受信する請求項１に記載の第１装置。
【請求項３】
前記データ放送コンテンツデータ送信手段は、インターネットを介してデータ放送コンテンツデータを送信する請求項１または２に記載の第１装置。
【請求項４】
前記データベースは、蓄積するデータ放送コンテンツデータの保存期間を定めている請求項１〜３のいずれかに記載の第１装置。
【請求項５】
前記送信手段は、インターネットを介してデータ放送識別情報を送信する請求項１に記載の第２装置。
【請求項６】
前記受信手段は、インターネットを介してデータ放送コンテンツデータを受信する請求項１または５に記載の第２装置。
【請求項７】
前記データ放送識別情報送信手段によって送信する前記データ放送識別情報を選択するデータ放送識別情報選択手段を備えた請求項１、５、６のいずれかに記載の第２装置。
【請求項８】
前記データ放送識別情報保存手段は、データ放送識別情報を内部メモリに保存する請求項１に記載の第３装置。
【請求項９】
前記データ放送識別情報保存手段は、データ放送識別情報を内部メモリに保存する前に、内部メモリにデータ放送識別情報を保存するのに十分な空き領域があるかどうかを判別する機能を備えた請求項８に記載の第３装置。
【請求項１０】
前記データ放送識別情報保存手段は、データ放送識別情報を外部メモリに保存する請求項１に記載の第３装置。
【請求項１１】
前記データ放送識別情報保存手段は、データ放送識別情報を外部メモリに保存する前に、外部メモリにデータ放送識別情報を保存するのに十分な空き領域があるかどうかを判別する機能を備えた請求項１０に記載の第３装置。
【請求項１２】
前記データ放送識別情報送信手段は、前記内部メモリに保存された前記データ放送識別情報を第２装置に送信する請求項８または９に記載の第３装置。
【請求項１３】
前記データ放送識別情報送信手段は、前記外部メモリに保存された前記データ放送識別情報を第２装置に送信する請求項１０または１１に記載の第３装置。
【請求項１４】
前記受信手段は、前記外部メモリを読み取ることで前記データ放送識別情報を受信する請求項１、５、６のいずれかに記載の第２装置。
【発明の詳細な説明】
【技術分野】
【０００１】
本発明は、携帯受信端末でのデータ放送視聴時に、データ放送を特定する情報を保存し、その特定情報をもとにデータ放送の詳細な内容を供給するデータ放送コンテンツの配信システムに関するものである。
【背景技術】
【０００２】
近年、テレビ放送の信号をデジタル化した、デジタル放送が普及している。現在日本においては、放送衛星を利用した衛星デジタル放送が行われており、間もなく地上波放送もデジタル化され、地上デジタル放送が開始されようとしている。地上デジタル放送においては、従来の固定受信以外に、車などでの移動中でも受信できる移動体受信や携帯端末で受信できる携帯受信が可能となる。また、デジタル放送では映像、音声だけではなく、番組に関連するデータや制御用スクリプトなどを伝送するデータ放送が可能であり、双方向のサービスや地域サービスなど様々なサービスが検討されている。例えば、特許文献１に記載されているようなデータ放送の双方向性を利用したコンテンツ配信システムなど、データ放送の利用はサービスの可能性を広げると考えられる。
【０００３】
一方、データ放送の送受信のインフラストラクチャが整い、十分に普及するには時間がかかると思われる。情報の送受信にはデータ放送とインターネットを併用したサービスが必要となる。例えば、特許文献２に記載されているような、データ放送の情報（番組に対応したＵＲＬ）を特定の通信機器に電子メールとして送信するサービスも考えられている。また、データ放送が十分普及した状況においても、データ放送とインターネットを併用することによって有用なサービスを提供することが可能であると考えられる。
【特許文献１】特開２００２−３３４２２５号公報
【特許文献２】特開２００２−３７４４８０号公報
【発明の開示】
【発明が解決しようとする課題】
【０００４】
特にデータ放送の移動体あるいは携帯端末での受信について考えた場合、表示画面が小さいなどの問題で受信できるデータの量が固定受信時と比較してかなり制限されるであろうことが容易に考えられる。移動体あるいは携帯端末でのデータ放送受信時に、視聴者は「もっと詳細な情報が知りたい」というニーズを持つ可能性が高い。また、放送はリアルタイムであるから、例えば、視聴者が外出先で、携帯端末でデータ放送を受信中に「もっと詳細な情報が知りたい。後で家に帰ってから（あるいはオフィスに戻ってから）詳しい情報を見たい」と思っても、不可能である。移動体あるいは携帯端末での受信では不十分な情報を補うためのシステムが求められると考えられる。そこで、本発明では視聴者が詳細な内容が知りたいデータ放送について、受信中に識別情報を保存しておけば、後からデータ放送のコンテンツデータが閲覧可能なデータ放送コンテンツ配信システムを提供する。
【課題を解決するための手段】
【０００５】
上記の目的を達成するために、第１の発明は、放送局から送信されているデータ放送を受信するデータ放送受信手段と、前記データ放送受信手段において受信したデータ放送コンテンツデータを蓄積するデータベースと、前記データベースに蓄積されたデータ放送コンテンツデータを送信するデータ放送コンテンツ送信手段と、前記データ放送コンテンツデータを識別するためのデータ放送識別情報を受信するデータ放送識別情報受信手段と、前記データ放送識別情報を用いて、前記データベースの中から特定のデータ放送コンテンツデータを検索する検索手段とを有し、前記検索手段の検索したデータ放送コンテンツデータを前記データ放送コンテンツ送信手段にて送信する第１装置と、前記データ放送識別情報を送信する送信手段と、前記データ放送コンテンツデータを受信する受信手段とを有する第２装置と、放送局から送信されているデータ放送を受信する受信手段と、前記データ放送を表示する表示手段と、視聴者の操作によって視聴中のデータ放送のデータ放送識別情報をメモリに保存するデータ放送識別情報保存手段と、前記データ放送識別情報を送信するデータ放送識別情報送信手段とを有する第３装置と、を備えたデータ放送コンテンツの配信システムである。
【０００６】
また、第２の発明は、前記データ放送識別情報受信手段は、インターネットを介してデータ放送識別情報を受信する上記発明の第１装置である。
【０００７】
また、第３の発明は、前記データ放送コンテンツデータ送信手段は、インターネットを介してデータ放送コンテンツデータを送信する第１、第２の発明の第１装置である。
【０００８】
また、第４の発明は、前記データベースは、蓄積するデータ放送コンテンツデータの保存期間を定めている第１〜３の発明の第１装置である。
【０００９】
また、第５の発明は、前記送信手段は、インターネットを介してデータ放送識別情報を送信する第１の発明の第２装置である。
【００１０】
また、第６の発明は、前記受信手段は、インターネットを介してデータ放送コンテンツデータを受信する第１、第５の発明の第２装置である。
【００１１】
また、第７の発明は、前記データ放送識別情報送信手段によって送信する前記データ放送識別情報を選択するデータ放送識別情報選択手段を備えた第１、第５、第６の第２装置である。
【００１２】
また、第８の発明は、前記データ放送識別情報保存手段は、データ放送識別情報を内部メモリに保存する第１の発明の第３装置である。
【００１３】
また、第９の発明は、前記データ放送識別情報保存手段は、データ放送識別情報を内部メモリに保存する前に、内部メモリにデータ放送識別情報を保存するのに十分な空き領域があるかどうかを判別する機能を備えた第８の発明の第３装置である。
【００１４】
また、第１０の発明は、前記データ放送識別情報保存手段は、データ放送識別情報を外部メモリに保存する第１の発明の第３装置である。
【００１５】
また、第１１の発明は、前記データ放送識別情報保存手段は、データ放送識別情報を外部メモリに保存する前に、外部メモリにデータ放送識別情報を保存するのに十分な空き領域があるかどうかを判別する機能を備えた第１０の発明の第３装置である。
【００１６】
また、第１２の発明は、前記データ放送識別情報送信手段は、前記内部メモリに保存された前記データ放送識別情報を第２装置に送信する第８、第９の発明の第３装置である。
【００１７】
また、第１３の発明は、前記データ放送識別情報送信手段は、前記外部メモリに保存された前記データ放送識別情報を第２装置に送信する第１０、第１１の発明の第３装置である。
【００１８】
また、第１４の発明は、前記受信手段は、前記外部メモリを読み取ることで前記データ放送識別情報を受信する第１、第５、第６の発明の第２装置である。
【発明の効果】
【００１９】
以上のように、本発明によれば、移動体あるいは携帯端末でのデータ放送受信時に、視聴者が詳細な内容が知りたいデータ放送について、受信中にデータ放送の識別情報を保存しておけば、後からデータ放送のコンテンツデータが閲覧することが可能となる。
【発明を実施するための最良の形態】
【００２０】
以下、本発明の実施の形態を、図面を用いて説明する。なお、以下に述べる実施例はこの発明の構成と作用を示すのに適した例の一つであり、本発明を限定するものではない。
【実施例１】
【００２１】
図１は、本発明のデータ放送コンテンツの配信システムのサービス概要の一例を示す図である。データ放送コンテンツ配信システム１０１は放送局１０２からデータ放送を受信し、蓄積している。視聴者は携帯端末１０３でデータ放送を受信している際、あるデータ放送画面１０４で「もっと詳しく内容を知りたい」と思ったとする。そのとき、視聴者は携帯端末１０３を操作し、データ放送の識別情報を携帯端末１０３の内部メモリに保存する。次に、視聴者がデータ放送の詳しい内容をパソコン１０５で閲覧する。携帯端末１０４の内部メモリに保存したデータ放送識別情報をパソコン１０５に赤外線通信やメールなどの手段を用いて転送し、次に、パソコン１０５はインターネット１０６を介してデータ放送コンテンツ配信システム１０１にアクセスし、データ放送識別情報をもとに目的のデータ放送コンテンツを取得する。
【００２２】
図２は、データ放送コンテンツ配信システムの構成を示す図である。データ放送受信手段２１１は、放送局２０２からデータ放送を受信し、データベース２１２に蓄積する。データ放送識別情報受信手段２１５において、インターネット２０４を介して送られてきたデータ放送識別情報を受信し、識別結果を検索手段２１４へ出力する。検索手段２１４は識別結果をもとに、データベース２１２を検索し、目的のデータ放送コンテンツ番号をデータ放送コンテンツ送信手段２１３へ出力する。データ放送コンテンツ送信手段２１３は検索手段２１４において検索されたデータ放送コンテンツを、インターネット２０４を介して送信する。なお、データベース２１２に蓄積されるデータ放送コンテンツデータは、一定の期間のみ保存されるようにしておいてもよい。このとき、その保存期間より前のデータ放送コンテンツデータを検索しても見つからないので、データ放送コンテンツ送信手段２１３は、パソコン２０３にエラーメッセージを送信することになる。
【００２３】
図３は、携帯受信端末の本発明に関する構成を示す図である。データ放送受信手段３１１は、放送局３０２からデータ放送を受信し、視聴者は表示画面３１２でデータ放送を視聴する。データ放送識別情報保存手段３１３は、視聴者の操作によって視聴中のデータ放送の識別情報をメモリ３１４に保存する。視聴者がメモリ３１４に識別情報を保存したデータ放送の内容をパソコン３０３で閲覧するために、データ放送識別情報送信手段３１５によってデータ放送識別情報がパソコン３０３へ送信される。
【００２４】
図４は、パソコンの本発明に関する構成を示す図である。携帯受信端末４０２から送信されたデータ放送識別情報は、データ放送識別情報受信手段４１１によって受信される。データ放送識別情報選択手段４１２によってデータ放送コンテンツ配信システム４０３へ送信するデータ放送識別情報を選択し、データ放送識別情報送信手段４１３によって送信する。データ放送コンテンツ受信手段４１４によってデータ放送コンテンツ配信システム４０３からデータ放送コンテンツを受信し、表示画面４１５で閲覧する。
【００２５】
図５は、視聴者が携帯端末１０３でデータ放送画面１０４を視聴中に「もっと詳しく内容を知りたい」と思ったときに、データ放送の識別情報を携帯端末１０３の内部メモリに保存するときの携帯端末１０３における処理の流れを示したフローチャートである。視聴者は、「もっと詳しく内容を知りたい」データ放送画面の表示中に、携帯端末１０３の「保存」キーを押下する（ステップ５０１）。すると、内部メモリの識別情報を保存する領域に空きがあるかどうかを判別する（ステップ５０２）。ステップ５０２において空きがあると判別された場合は、ステップ５０１において「保存」キーが押下されたときの日付と時間、チャンネル、番組名などのデータ放送の識別情報を保存し（ステップ５０３）、処理を終了する。内部メモリの識別情報を保存する領域の構成の一例を図６に示す。図６では、データ放送識別情報が１件以上保存できるようになっている。保存可能件数は、携帯端末１０３の仕様に依存する。ステップ５０２において、内部メモリの識別情報を保存する領域に空きがないと判別された場合は、エラーメッセージを画面に表示し（ステップ５０４）、処理を終了する。なお、ステップ５０１において、「保存」キーは、ステップ５０１〜５０４の処理をするためのトリガとなる専用のハード的なキーであっても良いし、データ放送画面を視聴中に押下した場合にステップ５０１〜５０４の処理をするためのトリガとなるファンクションキーであってもよい。なお、ステップ５０１において、キー操作は１回より多くてもよい。例えば、１回目のキー操作で、データ放送の識別情報を保存する処理を含む処理一覧画面を表示し、さらに処理一覧画面の中からデータ放送の識別情報を保存する処理を選択する。その他にもキー操作やキー以外での操作（音声認識やタッチパネルなど）が考えられる。データ放送の識別情報を保存する処理のトリガとなる操作は携帯端末の操作仕様に依存する。
【００２６】
なお、ステップ５０４において、エラーメッセージを画面に表示する代わりに、警告音を鳴らすことによって、エラーを示しても良い。その他にもエラーを示す方法は考えられるが、エラー提示方法は携帯端末の仕様に依存する。
【００２７】
図７は、パソコン２０３がインターネット２０４を介してデータ放送コンテンツ配信システム２０１にアクセスし、データ放送識別情報をもとに目的のデータ放送コンテンツを取得する処理の流れを示したフローチャートである。携帯端末１０３から転送されたデータ放送識別情報の中から、詳細情報を視聴したい項目を選択し、インターネット２０４を介してデータ放送コンテンツ配信システム２０１へ送信する（ステップ７０１）。データ放送コンテンツ配信システム２０１においてデータ放送識別情報はデータ放送識別情報受信手段２１１によって受信され、検索手段２１４に送られる（ステップ７０２）。次に、検索手段２１４においてデータ放送識別情報をもとにデータベース２１２からデータ放送コンテンツデータを検索する（ステップ７０３）。次に、データ放送コンテンツデータ送信手段２１３によって、データ放送コンテンツがインターネット２０４を介してパソコン２０３へ送信される（ステップ７０４）。なお、ステップ７０１の前に、データ放送コンテンツ配信システムがユーザIDやパスワードの入力を求めるなどして、ユーザ認証をする処理を付加してもよい。
【実施例２】
【００２８】
実施例２について説明する。図８は、本発明のデータ放送コンテンツ配信システムのサービス概要の一例を示す図である。データ放送コンテンツ配信システム８０１は放送局８０２からデータ放送を受信し、蓄積している。視聴者は携帯端末８０３でデータ放送を受信している。ここでの携帯端末８０３には、メモリカードスロットが搭載されており、メモリカード８０７にデータを保存することが可能である。実施の形態１と同様に、視聴者が携帯端末８０３でデータ放送を受信している際、あるデータ放送画面８０４で「もっと詳しく内容を知りたい」と思ったとする。そのとき、視聴者は携帯端末８０４を操作し、データ放送の識別情報を携帯端末８０３のメモリカードスロットに装着されたメモリカード８０７に保存する。次に、視聴者がデータ放送の詳しい内容をパソコン８０５で閲覧する。メモリカード８０７に保存したデータ放送識別情報をパソコン８０５に赤外線通信やメールなどの手段を用いて転送するか、パソコン８０５にメモリカードスロットが搭載されている場合は、メモリカード８０７をパソコン８０５のメモリカードスロットに装着することによって、転送する。次に、パソコン８０５はインターネット８０６を介してデータ放送コンテンツ配信システム８０１にアクセスし、データ放送識別情報をもとに目的のデータ放送コンテンツを取得する。
【００２９】
データ放送コンテンツ配信システムの構成は実施の形態１と同様である。
【００３０】
図９は、視聴者が携帯端末８０３でデータ放送画面８０４を視聴中に「もっと詳しく内容を知りたい」と思ったときに、データ放送の識別情報を携帯端末８０３に装着されたメモリカード８０７に保存するときの携帯端末８０３における処理の流れを示したフローチャートである。視聴者は、「もっと詳しく内容を知りたい」データ放送画面の表示中に、携帯端末８０３の「保存」キーを押下する（ステップ９０１）。すると、メモリカードの識別情報を保存する領域に空きがあるかどうかを判別する（ステップ９０２）。ステップ９０２において空きがあると判別された場合は、ステップ９０１において「保存」キーが押下されたときの日付と時間、チャンネル、番組名などのデータ放送の識別情報を保存し（ステップ９０３）、処理を終了する。メモリカードの識別情報を保存する領域の構成は内部メモリを用いた場合と同様である。ただし、内部メモリを用いた場合よりも、保存領域が大きい場合がほとんどであると考えられるため、保存できるデータ放送識別情報が内部メモリを用いたときよりも多いと考えられる。保存可能件数は、携帯端末８０３とメモリカード８０７の仕様に依存する。ステップ９０２において、メモリカードの識別情報を保存する領域に空きがないと判別された場合は、エラーメッセージを画面に表示し、新しいメモリカードの装着を要求する（ステップ９０４）。新しいメモリカードが装着された場合はステップ９０２へ戻る。新しいメモリカードが装着されないまま、視聴者の操作によって処理がキャンセルされた場合は、処理を終了する。なお、ステップ９０１において、「保存」キーは、ステップ９０１〜９０５の処理をするためのトリガとなる専用のハード的なキーであっても良いし、データ放送画面を視聴中に押下した場合にステップ９０１〜９０５の処理をするためのトリガとなるファンクションキーであってもよい。なお、ステップ９０１において、キー操作は１回より多くてもよい。例えば、１回目のキー操作で、データ放送の識別情報を保存する処理を含む処理一覧画面を表示し、さらに処理一覧画面の中からデータ放送の識別情報を保存する処理を選択する。その他にもキー操作やキー以外での操作（音声認識やタッチパネルなど）が考えられる。データ放送の識別情報を保存する処理のトリガとなる操作は携帯端末の操作仕様に依存する。
【００３１】
なお、ステップ９０４において、エラーメッセージを画面に表示する代わりに、警告音を鳴らすことによって、エラーを示しても良い。その他にもエラーを示す方法は考えられるが、エラー提示方法は携帯端末の仕様に依存する。
【００３２】
なお、携帯端末８０３の内部メモリとメモリカード８０７の両方がデータ放送識別情報の保存に使用することが可能な場合、ステップ９０１において、視聴者が内部メモリとメモリカード８０７のどちらに保存するか、を選択する処理を付加してもよい。
【００３３】
パソコン８０３がインターネット８０４を介してデータ放送コンテンツ配信システム９０１にアクセスし、データ放送識別情報をもとに目的のデータ放送コンテンツを取得する処理は実施例１と同様である。
【産業上の利用可能性】
【００３４】
本発明は、携帯受信端末でのデータ放送視聴時に、データ放送を特定する情報を保存し、その特定情報をもとにデータ放送の詳細な内容を供給するデータ放送コンテンツの配信システムに利用可能であり、有用である。
【図面の簡単な説明】
【００３５】
【図１】本発明の実施例１におけるデータ放送コンテンツの配信システムのサービス概要を示した図
【図２】本発明の実施例１におけるデータ放送コンテンツ配信システムの構成を示す図
【図３】本発明の実施例１における携帯受信端末の構成を示す図
【図４】本発明の実施例１におけるパソコンの構成を示す図
【図５】本発明の実施例１において、データ放送の識別情報を携帯端末の内部メモリに保存するときの携帯端末における処理の流れを示したフローチャート
【図６】本発明の実施例１において、携帯端末の内部メモリの識別情報を保存する領域の構成の一例を示した図
【図７】本発明の実施例１において、パソコンがインターネットを介してデータ放送コンテンツ配信システムにアクセスし、データ放送識別情報をもとに目的のデータ放送コンテンツを取得する処理の流れを示したフローチャート
【図８】本発明の実施例２におけるデータ放送コンテンツの配信システムのサービス概要を示した図
【図９】本発明の実施例２において、データ放送の識別情報を携帯端末に装着されたメモリカードに保存するときの携帯端末における処理の流れを示したフローチャート
【符号の説明】
【００３６】
１０１    データ放送コンテンツ配信システム
１０２    放送局
１０３    携帯受信端末
１０４    データ放送画面
１０５    パソコン
１０６    インターネット
２０１    データ放送コンテンツ配信システム
２０２    放送局
２０３    パソコン
２０４    インターネット
２１１    データ放送受信手段
２１２    データベース
２１３    データ放送コンテンツ送信手段
２１４    検索手段
２１５    データ放送識別情報受信手段
３０１    携帯受信端末
３０２    放送局
３０３    パソコン
３１１    データ放送受信手段
３１２    表示画面
３１３    データ放送識別情報保存手段
３１４    メモリ
３１５    データ放送識別情報送信手段
４０１    パソコン
４０２    携帯受信端末
４０３    データ放送コンテンツ配信システム
４１１    データ放送識別情報受信手段
４１２    データ放送識別情報選択手段
４１３    データ放送識別情報送信手段
４１４    データ放送コンテンツ受信手段
４１５    表示画面
８０１    データ放送コンテンツ配信システム
８０２    放送局
８０３    携帯受信端末
８０４    データ放送画面
８０５    パソコン
８０６    インターネット
８０７    メモリカード
【図１】
2005175883.tif 000003
【図２】
2005175883.tif 000004
【図３】
2005175883.tif 000005
【図４】
2005175883.tif 000006
【図５】
2005175883.tif 000007
【図６】
2005175883.tif 000008
【図７】
2005175883.tif 000009
【図８】
2005175883.tif 000010
【図９】
2005175883.tif 000011